(57)【特許請求の範囲】
【請求項１】
冷蔵庫本体と、冷蔵庫本体に設けた冷蔵室と、前記冷蔵室の下部に区画形成した貯蔵室と、前記貯蔵室を開閉するドアとを備え、前記ドアはドア枠に合成樹脂製の透明板を嵌め込んで構成し、かつ前記ドア枠は透明板の少なくとも長手方向一端辺側において透明板がドア枠に対し自由に伸縮可能なる構成とした冷蔵庫。
【請求項２】
ドア枠は透明板の外周端面を嵌め込む環状リブを備え、当該環状リブのうち透明板の長手方向一端側の辺と対向する部分のリブ部を切除して透明板がドア枠に対し自由に伸縮可能なる構成とした請求項１記載の冷蔵庫。
【請求項３】
ドア枠のリブ部を切除した側の一辺は透明板の他端側を囲む環状リブの厚み寸法と略同等幅寸法だけ透明板の端面より外方に突出させた構成とした請求項２記載の冷蔵庫。
【請求項４】
環状リブはその高さを透明板の板厚より低くした請求項２または３のいずれか１項記載の冷蔵庫。
【請求項５】
透明板はその外周縁部を両面テープによってドア枠に接着するとともに、前記両面テープと対向する透明板の外周部分に印刷処理を施した請求項１〜４のいずれか１項記載の冷蔵庫。
【請求項６】
両面テープは、透明板の上下辺に沿って配置した水平テープ部と同透明板の左右両側辺に沿って配置した垂直テープ部とからなり、かつ、上記水平テープ部の長辺側面に垂直テープ部の短辺側面を突き当てるよう配置した請求項５記載の冷蔵庫。
【請求項７】
貯蔵室は冷蔵室の横幅一側端側に製氷用の給水タンク設置室を残しただけの広さに形成した請求項１〜６のいずれか１項記載の冷蔵庫。
【発明の詳細な説明】
【技術分野】
【０００１】
本発明は冷蔵庫に関し、特に低温貯蔵室等を開閉するドア構成に関するものである。
【背景技術】
【０００２】
一般に家庭用冷蔵庫は、冷蔵室、野菜室、冷凍室等を備え、更に前記冷蔵室内には当該冷蔵室よりも低温に冷却されるチルド室（冷蔵室よりも低く約１℃の温度帯とする室）あるいはパーシャル室（約−３℃の微凍結温度帯とする室）またはこれらに切り替え可能な第三温度帯室等の低温貯蔵室を設けたものが見られる。（例えば、特許文献１参照）。
【０００３】
図１３は特許文献１記載の冷蔵庫を示し、この冷蔵庫は冷蔵室１０１の下部に低温貯蔵室１０２を設け、この低温貯蔵室１０２はその上面を冷蔵室１０１の最下段に位置する棚板としても利用する棚板部材１０３で覆って構成してある。
【０００４】
そして上記低温貯蔵室１０２は内部に引出自在な容器１０４を有するとともに、貯蔵室前面の開口は棚板部材１０３の前端に枢支したドア１０５によって開閉自在としてある。
【先行技術文献】
【特許文献】
【０００５】
【特許文献１】特開２００６−１１８８２５号公報
【発明の概要】
【発明が解決しようとする課題】
【０００６】
上記特許文献１に記載されているような低温貯蔵室等のドア１０５は、通常、ドア枠内にガラス板もしくは合成樹脂製の透明板を嵌め込んで形成してあり、貯蔵室前面の開口を閉じた状態でも低温貯蔵室１０２内に保存している食材が視認できる。
【０００７】
しかしながら、上記従来のドア構成において、ドアの透明板に合成樹脂製の板を用いていると、長期間使用しているうちに透明板とドア枠との膨張収縮差によりドア全体が湾曲するような形で変形する場合があった。
【０００８】
従って従来の合成樹脂製透明板を用いものにあってはドア１０５の横幅寸法が限られ、結果的に低温貯蔵室１０２を幅広にすることができない、という課題があった。
【０００９】
特に低温貯蔵室は、肉や魚等の食材を包装することなくそのまま保存するため、湿気が多くなりがちであり、透明性の高いアクリル樹脂製の透明板を使用し内部の視認性を上げる形態としたような場合は、アクリル樹脂が湿気を吸収して膨張収縮しやすいこともあって、ドア幅は狭いものとならざるを得なくなって横幅の広い低温貯蔵室とするには無理があり、横幅の狭い低温貯蔵室１０２となりがちであった。
【００１０】
本発明はこのような点に鑑みてなしたもので、視認性を保ちつつ低温貯蔵室を幅広いものとすることができる冷蔵庫の提供を目的としたものである。
【課題を解決するための手段】
【００１１】
本発明は、上記目的を達成するために、透明板を保持するドア枠は透明板の少なくとも長手方向一端辺側において透明板がドア枠に対し自由に伸縮可能なる構成としてある。
【００１２】
これにより、透明板とドア枠との間に膨張収縮差があっても透明板はドア枠の長手方向
に対し自由に伸縮可能なる構成とした部分において自由に膨張収縮するので、ドア全体が湾曲変形等することがなくなる。したがって、透明板を樹脂製としたものであってもドアの横幅寸法を長いものとすることができ、それに伴い横幅の広い低温貯蔵室を設けることが可能となる。
【発明の効果】
【００１３】
本発明は、上記構成により、視認性を保ちつつドアの横幅寸法を大きなものとして低温貯蔵室を横幅の広いものとすることができ、使い勝手の良い冷蔵庫とすることができる。
【図面の簡単な説明】
【００１４】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の冷蔵室下部に設けた低温貯蔵室の断面図
【図５】同実施の形態１における冷蔵庫の低温貯蔵室を示す斜視図
【図６】同実施の形態１における冷蔵庫の低温貯蔵室を示す正面図
【図７】同実施の形態１における冷蔵庫の低温貯蔵室のドアを示す斜視図
【図８】同実施の形態１における冷蔵庫の低温貯蔵室のドアを示す図７のＡ−Ａ断面図
【図９】同実施の形態１における冷蔵庫の低温貯蔵室のドアを示す横断面図
【図１０】同実施の形態１における冷蔵庫の低温貯蔵室容器のドアを示す斜視図
【図１１】同実施の形態１における冷蔵庫の低温貯蔵室のドアを示す分解斜視図
【図１２】同実施の形態１における冷蔵庫の低温貯蔵室のドアを示す正面図
【図１３】従来の冷蔵庫の低温貯蔵室部分を示す断面図
【発明を実施するための形態】
【００１５】
第１の発明は、冷蔵庫本体と、冷蔵庫本体に設けた冷蔵室と、前記冷蔵室の下部に区画形成した貯蔵室と、前記貯蔵室を開閉するドアとを備え、前記ドアはドア枠に合成樹脂製の透明板を嵌め込んで構成し、かつ前記ドア枠は透明板の少なくとも長手方向一端辺側において透明板がドア枠に対し自由に伸縮可能なる構成としてある。
【００１６】
これにより、透明板とドア枠との間に膨張収縮差があっても透明板はドア枠に対し自由に膨張収縮できするので、ドア全体が湾曲変形等することがなくなる。したがって、透明板を樹脂製としたものであってもドアの横幅寸法を長いものとすることができ、それに伴い横幅の広い低温貯蔵室を設けることが可能となる。
【００１７】
第２の発明は、第１の発明において、前記ドア枠は透明板の外周端面を嵌め込む環状リブを備え、当該環状リブのうち透明板の長手方向一端側の辺と対向する部分のリブ部を切除して透明板がドア枠に対し自由に伸縮可能なる構成としてある。
【００１８】
これにより、透明板の少なくとも外周上下端面は環状リブによって保持されるので、透明板を確実に固定保持することができ、透明板脱落防止を確実になくすることができるともに、リブ部を切除するだけの簡単な構成で透明板の伸縮自由度を確保できて、ドア変形等の無い幅広い貯蔵室を提供することができる。
【００１９】
第３の発明は、第２の発明において、前記ドア枠のリブ部を切除した側の一辺は透明板の他端側を囲む環状リブの厚み寸法と略同等幅寸法だけ透明板の端面より外方に突出させた構成としてある。
【００２０】
これにより、透明板を正面から見たとき、前記透明板のリブ部分を切除した辺の外周に
も透明板の外周端面を囲む環状リブが存在するような形に見え、左右が調和したバランスの良い外観とすることができる。
【００２１】
第４の発明は、第２または第３の発明において、前記環状リブはその高さを透明板の板厚より低くした構成としてある。
【００２２】
これにより、透明板の外周表面は透明板だけのフラット面となり、スッキリ感のある外観に仕上げることができる。しかも拭き掃除も容易になると同時に、透明板の外周表面まで環状リブで覆うようにした場合に生じる課題、すなわち、透明板表面とこれを覆う環状リブとの境界面にほこりや塵埃等が付着堆積してこれが線状に目立ってくることもなく、常に見栄えの良いものとすることができる。
【００２３】
第５の発明は、第１〜第４の発明において、前記透明板はその外周縁部を両面テープによってドア枠に接着するとともに、前記両面テープと対向する透明板の外周部分に印刷処理を施した構成としてある。
【００２４】
これにより、透明板を板厚の厚い重厚感のある高品質な重量物とした場合であっても確実に透明板をドア枠に固定することができるとともに、テープも印刷処理によって見えなくすることができ、高品位化とともに信頼性と見栄え向上を同時に達成することができる。
【００２５】
第６の発明は、第５の発明において、前記両面テープは、透明板の上下辺に沿って配置した水平テープ部と同透明板の左右両側辺に沿って配置した垂直テープ部とからなり、かつ、上記水平テープ部の長辺側面に垂直テープ部の短辺側面を突き当てるよう配置した構成としてある。
【００２６】
これにより、貯蔵室への食材の出し入れ時にドア端面に水等がかかっても、ドア上部は両面テープがその全長に亘って切れ目なく位置することになるから、接着部分への水の侵入を確実に防止することができ、長期間に亘って確実に透明板を固定保持し信頼性をさらに向上させることができる。
【００２７】
第７の発明は、第１〜第６の発明において、前記貯蔵室は冷蔵室の横幅一側端側に製氷用の給水タンク設置室を残しただけの広さに形成した構成としてある。
【００２８】
これにより、貯蔵室容量が飛躍的に向上し、当該貯蔵室を低温貯蔵室とすれば低温保存する肉や魚などを多く保存でき、使い勝手が向上するとともに、幅広の貯蔵室であってもそのドアは膨張収縮による変形の無いものとすることができ、使い勝手と意匠性の高い冷蔵庫とすることができる。
【００２９】
以下、本発明の実施の形態について、図面を参照しながら説明する。尚、この実施の形態によって本発明が限定されるものではない。
【００３０】
（実施の形態１）
図１〜図１２は本発明の実施の形態１を示すもので、まず、冷蔵庫全体の構成について説明する。
【００３１】
図１〜図３において、本実施の形態に係る冷蔵庫は、前方を開口した冷蔵庫本体１を備え、この冷蔵庫本体１は、図３に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。
【００３２】
冷蔵庫本体１は、仕切板５、６、６ａによって複数の貯蔵室に区分されており、冷蔵庫本体１の最上部は冷蔵室７、冷蔵室７の下方は切替室８ａ及び切替室８ａに並設した製氷室８ｂ、さらにその下方は冷凍室９、さらに最下部は野菜室１０となっている。そして前記各貯蔵室の前面開口部は、扉１１ａ、１１ｂ、１１ｃ、１１ｄ、１１ｅによって開閉可能に閉塞されている。
【００３３】
前記冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３４】
また、冷蔵庫本体１の背面には冷気を生成する冷却室１６と、冷却室１６からの冷気を前記冷蔵室７、冷凍室９、野菜室１０等に供給循環させる冷気通路１７が設けられている。
【００３５】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、冷凍室９、野菜室１０等に強制循環させて各室を冷却するものである。
【００３６】
例えば、冷蔵室７は食材が凍らない程度の温度通常１℃〜５℃に冷却し、野菜室１０は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３７】
前記冷却室１６からの冷気によって冷却される冷蔵室７には食材を載置する複数の棚板２１が設けてあり、かつ、側壁前部には照明装置（図示せず）が設置してあって扉１１ａを開くと点灯し冷蔵室７内を照射するようになっている。
【００３８】
また、上記冷蔵室７にはその下部に約１℃の温度帯に冷却されるチルド室あるいは約−３℃の微凍結温度帯まで冷却されるパーシャル室に切り替え可能な低温貯蔵室２３が区画形成してある。なお、低温貯蔵室２３はチルド室或いはパーシャル室に切り替え可能なものでなく、チルド室或いはパーシャル室として専用設計されたものであってもよいものである。
【００３９】
上記低温貯蔵室２３は図４〜図６に示すようにその上面を冷蔵室７の最下段に位置する棚板としても利用する棚板部材２４及び側面の給水タンク室２２（図２参照）との間を仕切る間仕切り板２２ａとで区画形成してあり、内部には引出自在な容器２５が設けてあって、その前方は前記容器２５の引出によって棚板部材２４の前端部を中心に回動して開くドア２６によって閉蓋してある。
【００４０】
上記低温貯蔵室２３の棚板部材２４は、図４に示すように、合成樹脂製の棚枠部材２７に装着したガラス板等からなる上板２８と、合成樹脂製の下枠板２９と、それらの間に設けた発泡スチロール等の断熱材３０とから構成してある。
【００４１】
そして、上記断熱材３０には下枠板２９に開口する多数の吹出し口３１を有する冷気ダクト部３２が形成してあり、冷蔵室７内にセットすることによって前記冷気ダクト部３２が冷蔵庫本体１背面の冷気通路１７に連通し冷気が供給され、この冷気によって低温貯蔵室２３内を冷却するようになっている。
【００４２】
また、前記低温貯蔵室２３はその棚板部材２４の下面に凹部３４を形成して、ＬＥＤ等からなる照明装置３５を設け、低温貯蔵室２３内にセットした容器２５内部を照射するように構成してある。
【００４３】
次に上記低温貯蔵室２３の開口を開閉するドア２６の構成について図７〜図１２を用いて説明する。
【００４４】
このドア２６は、図１１に示すように、略四角形状に形成した合成樹脂製のドア枠３６と、このドア枠３６に両面テープ３７で固着した合成樹脂製の透明板３８とで構成してある。本実施の形態では、例えば前記ドア枠３６はＡＢＳ樹脂で形成し、透明板３８は透明性の高いアクリル樹脂で形成してある。
【００４５】
前記ドア枠３６はその前面に図８、図９、図１２に示すように前方に突出する環状リブ３９が一体形成してあり、この環状リブ３９内に透明板３８を嵌め込み、両面テープ３７で接着固定してある。
【００４６】
そして、上記環状リブ３９はこの実施の形態では透明板３８の長手方向一端辺側、この例では図９、図１２の左側部分において切除してあり、透明板３８はドア枠３６に対し自由に伸縮可能なる構成としてある。
【００４７】
更に、上記環状リブ３９を切除した側のドア枠３６の一辺３６ａは透明板３８の他端側を囲む環状リブ３９の厚み寸法Ｔと略同等幅寸法だけ透明板３８の端面より外方に突出させてある。
【００４８】
また、上記環状リブ３９は図９に示すようにその高さを透明板３８の板厚より低くして透明板３８の表面から前方に突出しないようにしてある。
【００４９】
また、透明板３８をドア枠３６に接着固定する両面テープ３７は、図１２の破線で示すように、透明板３８の上下辺に沿って配置した水平テープ部３７ａと同透明板３８の左右両側辺に沿って配置した垂直テープ部３７ｂとを備え、上記水平テープ部３７ａの長辺側面に垂直テープ部３７ｂの短辺側面を突き当てるよう貼り付けてある。
【００５０】
そして、前記透明板３８の両面テープ３７と対向する前面の外周部分には両面テープ３７と略同等幅の帯状着色層４０が印刷処理してある。
【００５１】
また、前記ドア枠３６の両端辺には図１０に示すように前記棚板部材２４の前方端に回動自在に軸支するフック状の軸支部４１と、前記容器２５を出し入れする際、当該容器の開口縁部２５ａ（図４参照）に当接してドア２６を開閉動作させる当接片部４２が設けてある。
【００５２】
以上のように構成された冷蔵庫について、次にその作用効果を説明する。
【００５３】
まず、この冷蔵庫の低温貯蔵室は、冷蔵庫本体１の冷気通路１７から供給される冷気が棚板部材２４に設けた冷気ダクト部３２および吹出し口３１を介して供給され、低温貯蔵室２３内の容器２５に収納している肉や魚等の食材を所定温度に冷却保存する。例えば低温貯蔵室がチルド室である場合は約１℃に冷却保存し、パーシャル室である場合は約−３℃の微凍結温度に冷却保存する。
【００５４】
ここで、前記低温貯蔵室２３は、内部に保存している食材が肉や魚であるとこの肉屋や魚から蒸散する水分で湿度が高くなり、また、チルド室或いはパーシャル室として使用し
ている時とそうでない時とで温度差が生じたりする。
【００５５】
その結果、低温貯蔵室２３を閉じているドア２６の透明板３８とドア枠３６が膨張収縮するが、両者の膨張収縮には差があり、透明板３８の膨張収縮がドア枠３６よりも大きくなることが多い。
【００５６】
特に本実施の形態のように透明板３８を透明度が高く視認性の良い合成樹脂、例えばアクリル樹脂で形成していると、このアクリル樹脂は吸水性が高いためドア枠３６よりも大きく膨張収縮する。
【００５７】
このような場合、この実施の形態のドア２６は、透明板３８の外周端面を嵌め込む環状リブ３９のうち、透明板３８の長手方向一端側の辺と対向する部分のリブ部を切除して、透明板３８がドア枠３６に対し自由に伸縮可能なる構成としてあるから、透明板３８とドア枠３６との間に膨張収縮差の違いがあっても透明板３８はドア枠３６に対し自由に膨張収縮でき、ドア全体が湾曲変形等することがなくなる。
【００５８】
したがって、透明板３８を樹脂、特にアクリル樹脂として視認性を上げたものであっても、ドア２６の横幅寸法を長いものとすることができ、それに伴い横幅の広い低温貯蔵室２３を設けることが可能となる。
【００５９】
また、この実施の形態ではドア枠３６に対し透明板３８が自由に伸縮可能なる構成とするため、透明板３８の外周端面を嵌め込む環状リブ３９のうち、透明板３８の長手方向一端側の辺と対向する部分のリブ部を切除しただけであるから、簡単に提供できる。しかもリブ部を切除していない部分の環状リブ３９の上下部分によって透明板３８の上下端面を保持するので、透明板３８を確実に固定保持することができ、透明板脱落防止を確実に保証することができる。
【００６０】
例えば、ドア枠３６に対し透明板３８が自由に伸縮可能なる構成としては、透明板をドア枠前面に単に接着するだけとしてもよいが、このような場合、経年変化で接着力が劣化すると、透明板がドア枠から脱落することが起こり得る。しかしながら、この実施の形態で示した構成であればそのようなことは防止できる。
【００６１】
また、ドア枠３６に対し透明板３８が自由に伸縮可能なる構成として、環状リブ３９の一部を切除することなく透明板３８の外周懸全域に形成したままにして、透明板３８の長手方向一端側の透明板端面と環状リブ内面との間の間隙を大きく設定しておいてもよいが、このような場合、上記間隙部分にほこりや塵埃等が付着堆積して非衛生的になる。しかしながら、この実施の形態で示した構成であればそのようなことも防止でき、衛生的に食材保存を実現することができる。
【００６２】
また、この実施の形態では、前記ドア２６はドア枠３６のリブ部を切除した側の一辺は、透明板３８の他端側を囲む環状リブ３９の厚み寸法と略同等幅寸法だけ透明板３８の端面より外方に突出させた構成としてあるから、外観上の違和感を防止することができる。すなわち、上記構成により、透明板３８を正面から見たとき、前記透明板３８のリブ部分を切除した辺の外周にも透明板３８の外周端面を囲む環状リブ３９が存在するような形に見え、左右が調和したバランスの良い外観とすることができ、違和感を払拭できる。
【００６３】
さらにまた前記環状リブ３９はその高さを透明板３８の板厚より低くした構成としてあるから、透明板３８の外周表面は透明板３８だけのフラット面となり、スッキリ感のある外観に仕上げることができる。しかも拭き掃除も容易になる。また、環状リブ３９は断面略Ｌ字状にして透明板３８の外周表面まで環状リブで覆うようにすることが考えられるが
、このような場合に生じる課題、すなわち、透明板３８表面とこれを覆う環状リブ３９との境界面にほこりや塵埃等が付着堆積してこれが線状に目立ってくることもなく、常に見栄えの良いドアとすることができる。
【００６４】
また、ドア２６の透明板３８は環状リブ３９による嵌合保持だけでなく両面テープ３７によってもドア枠３６に接着固定してあるから、透明板３８を強固にドア枠３６に固着することができる。したがって、透明板３８を板厚の厚い重厚感のある高品質な板で構成して品位を高めることができるとともに、このような板厚が厚くて重量物となる場合であっても確実に透明板３８をドア枠３６に固定保持することができる。
【００６５】
そして、上記両面テープ３７と対向する透明板３８の外周部分には着色層４０等の印刷処理を施してあるから、両面テープ３７が外部から見えることがなく、見栄えの良いものとすることができる。
【００６６】
また、上記両面テープ３７は、透明板３８の上下辺に沿って配置した水平テープ部３７ａが横幅全域に亘って貼り付けてあって透明板３８左右両側辺の垂直テープ部３７ｂの上端辺を覆う形としてあるから、透明板３８の接着固定を長期間に亘って確実なものとすることができる。すなわち、低温貯蔵室２３へ食材を出し入れする時、ドア端面に水等がかかることがあるが、特に水がかかりやすいドア上端面は両面テープ３７の水平テープ部３７ａがその全長に亘って切れ目なく位置することになるから、接着部分への水の侵入を確実に防止することができ、長期間に亘って確実に透明板を固定保持し信頼性を向上させることができる。
【００６７】
また、この実施の形態の冷蔵庫は、前記低温貯蔵室２３が冷蔵室７の一側端側に製氷用の給水タンク設置室２２を残し冷蔵室横幅一杯に形成してあるから、低温貯蔵室２３の貯蔵室容量を飛躍的に向上させることができる。したがって、低温貯蔵室２３に低温保存する肉や魚などを多く保存できる。つまり近年の食生活に合った肉や魚などの食材を多く保存できるようになって使い勝手の良い冷蔵庫となる。
【００６８】
以上、本発明に係る冷蔵庫について、上記実施の形態を用いて説明してきたが、本発明は、これに限定されるものではなく、本発明の目的を達成する範囲内で種々変更可能であることは言うまでもない。
【００６９】
例えば上記実施の形態ではドア２６を設けた貯蔵室は当該貯蔵室専用に冷却用の冷気を供給するチルド室やパーシャル室等の低温貯蔵室の場合で説明したが、これは当該貯蔵室専用の冷気供給機構を有さない貯蔵室、例えば冷蔵室に設けられていて冷蔵室と略同じ温度に維持されるような貯蔵室であってもよいものである。
【００７０】
また、透明板３８の長手方向一端辺側において透明板がドア枠３６に対し自由に伸縮可能なる構成として、この実施の形態では当該部分のリブ部を切除したものを例示したが、これは透明板３８の長手方向両端辺ともリブ部を切除して構成してもよく、或いはリブ部をそのまま残しておいて当該リブと透明板端面との間に伸縮可能なだけの間隙を設ける等して構成してもよいものである。
【００７１】
このように今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００７２】
本発明は、ドアの視認性を保ちつつ横幅寸法を大きくし、かつ、膨張収縮による変形も抑制して、低温貯蔵室を横幅の広いものとすることができ、使い勝手の良い冷蔵庫とすることができる。よって、家庭用はもちろん業務用冷蔵庫やショーケース等多くの用途に幅広く適用することができる。
【符号の説明】
【００７３】
１  冷蔵庫本体
２  外箱
３  内箱（冷蔵庫本体内箱）
４  発泡断熱材
５、６  仕切板
７  冷蔵室
８  野菜室
９  冷凍室
１０、１１、１２  扉
１４  機械室
１５  圧縮機
１６  冷却室
１７  冷気通路
１８  背面壁体
１９  冷却器
２０  冷却ファン
２１  棚板
２２  給水タンク設置室
２３  低温貯蔵室（貯蔵室）
２４  棚板部材
２５  容器
２６  ドア
２７  棚枠部材
２８  上板
２９  下枠板
３０  断熱材
３１  吹出し口
３２  冷気ダクト部
３４  凹部
３５  照明装置
３６  ドア枠
３７  両面テープ
３８  透明板
３９  環状リブ
４０  着色層
４１  軸支部
４２  当接片部
【図１】
0006515331.tif 000002
【図２】
0006515331.tif 000003
【図３】
0006515331.tif 000004
【図４】
0006515331.tif 000005
【図５】
0006515331.tif 000006
【図６】
0006515331.tif 000007
【図７】
0006515331.tif 000008
【図８】
0006515331.tif 000009
【図９】
0006515331.tif 000010
【図１０】
0006515331.tif 000011
【図１１】
0006515331.tif 000012
【図１２】
0006515331.tif 000013
【図１３】
0006515331.tif 000014